(57)【特許請求の範囲】
【請求項１】
少なくとも放電ワイヤが張設される帯電器のシールドケース内に臨みワイヤ張設方向に往復動可能な清掃部材保持手段と、
前記清掃部材保持手段に設けられ、少なくとも前記放電ワイヤに摺接可能な清掃部材と、
前記清掃部材保持手段をワイヤ張設方向に往復移動させる送り手段とを備え、
前記送り手段は、回転駆動機構により正逆に回転駆動される螺旋軸と、前記清掃部材保持手段に係止するとともに、前記螺旋軸に螺合する雌ねじ部材とを備えた帯電器のワイヤ清掃装置において、
前記螺旋軸の両端部はそれぞれ螺旋のない非螺旋部に形成されて、それら非螺旋部では雌ねじ部材が遊嵌状態となるように構成され、
それら非螺旋部に螺進し遊嵌状態となった前記雌ねじ部材に押されて圧縮され雌ねじ部材を螺進方向とは反対方向に付勢させて螺旋軸の螺旋部終端に押し当てるばね部材が設けられていることを特徴とする帯電器のワイヤ清掃装置。
【請求項２】
前記シールドケースには、ワイヤ張設方向にスライド自在にスライダが設けられ、このスライダに前記清掃部材保持手段が揺動自在に支持され、清掃部材保持手段の往復動作に応じて清掃部材保持手段が前記スライダにより清掃姿勢と清掃解除姿勢とに切り換え規制されるようにしたことを特徴とする請求項１に記載の帯電器のワイヤ清掃装置。
【請求項３】
前記帯電器は、前記シールドケース内に、前記放電ワイヤのほかグリッドワイヤを放電ワイヤと同方向に張設したスコロトロンタイプであることを特徴とする請求項１または請求項２に記載の帯電器のワイヤ清掃装置。
【請求項４】
前記清掃部材保持手段には、前記放電ワイヤの清掃部材のほか、前記グリッドワイヤの清掃部材が設けられていることを特徴とする請求項３に記載の帯電器のワイヤ清掃装置。
【発明の詳細な説明】
【０００１】
【発明の属する技術分野】
本発明は、静電写真複写機やファクシミリ、プリンターなどの画像形成装置に装備される帯電器のワイヤ清掃装置に関する。
【０００２】
【従来の技術】
例えば静電写真複写機において、ドラム表面に対する主帯電や、画像記録用紙に対するトナー画像の転写、ドラム表面からの用紙分離、ドラム表面の残留電荷の除電などのために、感光体ドラムのまわりに帯電器が配置される。
【０００３】
そのうち、例えば主帯電用の帯電器として、放電用の開口部が形成されたシールドケースに、ケース長手方向に沿わせて放電ワイヤを張設したタイプの帯電器や、放電ワイヤの他に複数本のグリッドワイヤを張設した所謂スコロトロンタイプの帯電器がある。
【０００４】
これら何れのタイプの帯電器にあっても、ワイヤにトナーや紙粉などが付着して適正なコロナ放電が得られなくなるのを解消するために、ワイヤ清掃装置が備えられている。
【０００５】
例えば放電ワイヤのみを張設したタイプの帯電器におけるワイヤ清掃装置としては、ケース長手方向に沿って放電ワイヤが張設されたシールドケースと、このシールドケースに、ワイヤ張設方向に往復動可能に保持されたスライダと、このスライダに設けられた清掃部材保持具と、この清掃部材保持具をスライダとともにワイヤ張設方向に往復移動させる送り手段とを備えたものがある。
【０００６】
この場合の送り手段は、例えばワイヤ張設方向に向けて螺旋軸を配置し、清掃部材保持具に係止する螺旋筒を上記の螺旋軸に螺合させ、螺旋軸をモータで正逆に回転させるように構成されている。この構成により、螺旋軸の正逆回転で清掃部材保持具が前後に移動し、清掃部材保持具に設けられた清掃部材によって放電ワイヤが清掃される。
【０００７】
【発明が解決しようとする課題】
しかし、上記の構成では、ホームポジションや方向転換位置に清掃部材保持具を正確に停止させるために、螺旋軸を正逆回転させるモータとして、精度の高いパルスモータなどが必要になり、コストが高く付くという問題点がある。
なお、螺旋筒の方向転換時に、螺旋軸の非螺旋部にある螺旋筒が螺旋部に円滑に螺合できない場合があり、ワイヤ清掃装置が動作不良に陥り易いという問題点があった。
【０００８】
上記の従来欠点に鑑み、本発明は、安価なモータを駆動源として使用しても、精度良く、かつ円滑に動作させることができる帯電器のワイヤ清掃装置を提供せんとするものである。
【０００９】
【課題を解決するための手段】
上記の目的を達成するために本第１発明は、少なくとも放電ワイヤが張設される帯電器のシールドケース内に臨みワイヤ張設方向に往復動可能な清掃部材保持手段と、前記清掃部材保持手段に設けられ、少なくとも前記放電ワイヤに摺接可能な清掃部材と、前記清掃部材保持手段をワイヤ張設方向に往復移動させる送り手段とを備え、前記送り手段が、回転駆動機構により正逆に回転駆動される螺旋軸と、前記清掃部材保持手段に係止するとともに、前記螺旋軸に螺合する雌ねじ部材とを備えた帯電器のワイヤ清掃装置において、前記螺旋軸の両端部はそれぞれ螺旋のない非螺旋部に形成されて、それら非螺旋部では雌ねじ部材が遊嵌状態となるように構成され、それら非螺旋部に螺進し遊嵌状態となった前記雌ねじ部材に押されて圧縮され雌ねじ部材を螺進方向とは反対方向に付勢させて螺旋軸の螺旋部終端に押し当てるばね部材が設けられている点に特徴がある。
この構成によれば、回転駆動機構のモータとして精度の劣る安価なモータを使用しても、雌ねじ部材が螺旋軸の端部の非螺旋部に達すると、この非螺旋部に遊嵌状態となるのでこの位置に正しく雌ねじ部材が停止することになる。また、この位置で、ばね部材が雌ねじ部材に押されて圧縮され、そのばね部材により雌ねじ部材が反対方向に付勢されて螺旋軸の螺旋部終端に押し付けられるので、ホームポジションや方向転換位置からの雌ねじ部材の移動開始において、雌ねじ部材が確実に螺旋軸の螺旋部に螺合することになり、ワイヤ清掃装置のホームポジションからの移動開始や、方向転換位置での方向転換動作を円滑かつ確実に行うことができる。
【００１０】
第２発明では、前記シールドケースに、ワイヤ張設方向にスライド自在にスライダが設けられ、このスライダに前記清掃部材保持手段が揺動自在に支持され、清掃部材保持手段の往復動作に応じて清掃部材保持手段が前記スライダにより清掃姿勢と清掃解除姿勢とに切り換え規制されるようにした点に特徴がある。
この構成によれば、ワイヤ清掃装置が往動する場合と復動する場合とに応じて、清掃部材保持具を清掃姿勢と清掃解除姿勢とに切り換えることができる。
【００１１】
第３発明では、前記帯電器が、前記シールドケース内に、前記放電ワイヤのほかグリッドワイヤを、放電ワイヤと同方向に張設したスコロトロンタイプである点に特徴がある。  この構成によれば、スコロトロンタイプの帯電器を対象とする場合でも、放電ワイヤの清掃を円滑かつ確実に行うことができる。
【００１２】
第４発明では、前記清掃部材保持手段に、前記放電ワイヤの清掃部材のほか、前記グリッドワイヤの清掃部材が設けられている点に特徴がある。
この構成によれば、スコロトロンタイプの帯電器を対象とする場合に、放電ワイヤだけでなく、グリッドワイヤの清掃も円滑かつ確実に行うことができる。
【００１３】
【発明の実施の形態】
次に本発明の一実施形態を図１ないし図６に基づいて説明する。
図１および図２は、この実施形態の帯電器のワイヤ清掃装置を装備した画像形成装置の断面図および外観斜視図を示す。この画像形成装置１は、フルカラー複写機能を有する静電写真複写機であって、給紙デスク２の上に複写機本体３を搭載して構成されている。
【００１４】
給紙デスク２は、前面から挿抜自在となるように設けられた複数段の給紙カセット４と、これらの給紙カセット４から繰り出し給紙される用紙の合流搬送経路５とを備える。
複写機本体３は、感光体ドラム６などからなる画像形成ユニット７と、合流搬送経路５や手差しテーブル８から給紙される用紙を画像形成ユニット７の作像部に搬送する給紙ユニット９と、画像形成後の用紙を定着装置１０に搬送する給紙搬送経路１１と、定着後の用紙を排紙トレイ１２に排出する排紙経路１３とを備える。
【００１５】
上記の画像形成ユニット７は、複写機本体３に横架された感光体ドラム６のまわりに、主帯電用のスコロトロンタイプの帯電器１４と、光学装置１５からの画像読み取り情報に基づいて、ドラム表面に潜像の画像を形成する露光装置１６と、シアン、イエロー、マゼンダ、ブラックのトナーを各別に収容して、ドラム表面に形成された潜像画像を顕像化する現像装置１７と、トナー画像を用紙に転写し且つ用紙を分離する転写・分離ユニット１８と、クリーニング装置１９と、除電装置２０とを備えている。
【００１６】
上記の帯電器１４は、図３に示すように、放電用の開口部が形成されたシールドケース２１を有し、そのケース内にはケース長手方向（感光体ドラム６の軸方向と平行）に沿わせて放電ワイヤ２２が張設され、シールドケース２１の放電用開口部にはケース長手方向に沿わせてグリッドワイヤ２３が張設されている。
【００１７】
放電ワイヤ２２を清掃するワイヤ清掃装置２４は、図３〜図５に示すように構成されている。すなわち、シールドケース２１の底板２５にはワイヤ張設方向の長孔２６が形成され、この長孔２６の両側の口縁をガイドレール２７，２７として往復移動可能にスライダ２８が保持されている。
【００１８】
上記のスライダ２８には、軸線がワイヤ張設方向に直交する方向の一対の軸支部２９，２９が設けられ、さらに、ワイヤ張設方向の両側部分をストッパー３０ａ，３０ｂとする上下方向の貫通部３０が形成されている。清掃部材保持具３１は、放電ワイヤ２２の清掃部材３２を保持した部材であって、軸体３３と、この軸体３３に垂設されるＵ字状部材３４と、軸体３３の中間位置からほぼ上方に向け突設されるレバー３５とを有し、Ｕ字状部材３４の下端に清掃部材３２が設けられる。この清掃部材保持具３１は、そのレバー３５をスライダ２８の貫通部３０に挿通させた状態で、軸体３３の両端部がスライダ２８の軸支部２９，２９に枢着される。
【００１９】
ワイヤ清掃装置２４の送り手段３６は、回転駆動機構３７で正逆に回転駆動される螺旋軸３８と、この螺旋軸３８に螺合する雌ねじ部材である螺旋筒３９とを備える。螺旋軸３８はワイヤ張設方向に沿わせてシールドケース２１外に配置され、その両端が一対の軸支材４０，４０によって回転自在に支持されている。螺旋軸３８の両端の軸支材４０で支持される位置から中央寄りの所定長さの部分はそれぞれ螺旋のない非螺旋部３８ａ，３８ａとされていて、この非螺旋部３８ａでは螺旋筒３９は遊嵌状態となる。すなわち、非螺旋部３８ａの外径は、螺旋筒３９の最小内径より若干小さく形成されている。また、両非螺旋部３８ａには、上記の螺旋筒３９を受け止める座板４１とコイルばね４２とが、座板４１と軸支材４０とでコイルばね４２を挟む状態に挿嵌されている。
【００２０】
螺旋筒３９の外側部には、清掃部材保持具３１のレバー３５に係止する係止体４３，４４が突設されている。回転駆動機構３７は、正逆回転可能な駆動モータ４５と、この駆動モータ４５の回転出力を螺旋軸３８に伝達するギア４６，４７とからなる。
【００２１】
図６（Ａ）の右部分は、上記ワイヤ清掃装置２４の清掃部材保持具３１がホームポジションに待機している状態を示す。このとき、送り手段３６を構成する螺旋筒３９は、螺旋軸３８の一端の非螺旋部３８ａに遊嵌した状態にあって、圧縮したコイルばね４２によりＸ方向に付勢されている。すなわち、螺旋筒３９は螺旋軸３８の螺旋部終端に押し当てられた状態にある。このため、螺旋軸３８が往動時の回転方向に回転駆動されると、螺旋筒３９が螺旋軸３８の螺旋部に確実に螺合することになり、ホームポジションからのワイヤ清掃装置２４の移動開始が円滑に行われる。
【００２２】
さらに、螺旋筒３９を、図６（Ｂ）の右部分に示すように、Ｘ方向に往動螺進させると、螺旋筒３９における螺進方向後方の係止体４３に清掃部材保持具３１のレバー３５が係止し、レバー３５がスライダ２８のストッパー３０ｂに当接するまで軸体３３まわりで清掃部材保持具３１が回動する。このレバー３５の回動により、清掃部材保持具３１の姿勢は、清掃部材３２が放電ワイヤ２２に摺接するワイヤ清掃姿勢に切り換えられ、螺旋筒３９の往動螺進に伴ってスライダ２８がＸ方向にスライドすることで、放電ワイヤ２２が清掃部材３２により清掃されることになる。
【００２３】
螺旋筒３９が、図６（Ｂ）の左部分に示すように、螺旋軸３８のＸ方向終端である非螺旋部３８ａまで螺進すると、螺旋筒３９は非螺旋部３８ａに対して遊嵌状態となるので、同じ螺進方向に螺旋軸３８が回転駆動され続けても、螺旋筒３９はＸ方向終端位置に正しく停止する。すなわち、回転駆動機構３７の駆動モータ４５として、精度の劣った安価なモータを使用しても、ワイヤ清掃装置２４の清掃部材保持具３１を方向転換位置に正しく停止させることができる。この状態で、非螺旋部３８ａに挿嵌されているコイルばね４２は、座板４１を介して螺旋筒３９に押されて圧縮される。
【００２４】
上記停止位置で、螺旋筒３９は圧縮したコイルばね４２によりＸ方向と逆のＹ方向に付勢されるので、螺旋筒３９は螺旋軸３８の螺旋部終端に押し当てられた状態にある。このため、螺旋軸３８が往動時とは逆の回転に切り換えられると、螺旋筒３９が螺旋軸３８の螺旋部に確実に螺合することになり、以後、螺旋筒３９は、図６（Ａ）の左部分に示すように、Ｙ方向への復動螺進を開始する。その復動螺進の開始により、螺旋筒３９における螺進方向後方の係止体４４に清掃部材保持具３１のレバー３５が係止し、レバー３５がスライダ２８のストッパー３０ａに当接するまで軸体３３まわりで清掃部材保持具３１が回動する。
このレバー３５の回動により、清掃部材保持具３１の姿勢は、清掃部材３２が放電ワイヤ２２から離れる清掃解除姿勢に切り換えられる。この姿勢のまま螺旋筒３９が復動螺進することにより、清掃部材保持具３１がＹ方向の終端に送られる。
【００２５】
螺旋筒３９が、螺旋軸３８のＹ方向終端である非螺旋部３８ａまで螺進すると、Ｘ方向終端での動作と同様に、螺旋筒３９は非螺旋部３８ａに遊嵌状態となるので、同じ螺進方向に螺旋軸３８が回転駆動され続けても、螺旋筒３９はＹ方向終端位置に正しく停止する。すなわち、回転駆動機構３７の駆動モータ４５として、精度の劣った安価なモータを使用しても、ワイヤ清掃装置２４の清掃部材保持具３１をホームポジションに正しく停止させることができる。この状態で、非螺旋部３８ａに挿嵌されているコイルばね４２は、座板４１を介して螺旋筒３９に押されて圧縮される。
【００２６】
なお、上記実施形態では、放電ワイヤ２２のみを清掃する構成例を示したが、放電ワイヤ２２の清掃部材３２のほかに、グリッドワイヤ２３の清掃部材も清掃部材保持具３１に設けてもよい。
【００２７】
また、上記実施形態では、スコロトロンタイプの帯電器を対象とした場合を示したが、放電ワイヤのみを設けた帯電器を対象としたワイヤ清掃装置の場合も同様に適用できる。
【００２８】
【発明の効果】
本発明は以上のように構成されるので、以下に記載する効果を奏する。
請求項１の発明においては、回転駆動機構のモータとして精度の劣る安価なモータを使用しても、雌ねじ部材が螺旋軸の端部の非螺旋部に達すると、この位置に正しく雌ねじ部材が停止することになる。また、この位置で、ばね部材が雌ねじ部材に押され、そのばね部材により雌ねじ部材が反対方向に付勢されて螺旋軸の螺旋部終端に押し当てられるので、ホームポジションや方向転換位置からの雌ねじ部材の移動開始において、雌ねじ部材が確実に螺旋軸の螺旋部に螺合することになり、ワイヤ清掃装置のホームポジションからの移動開始や、方向転換位置での方向転換動作を円滑かつ確実に行うことができる。
【００２９】
請求項２の発明においては、ワイヤ清掃装置が往動する場合と復動する場合とに応じて、清掃部材保持具を清掃姿勢と清掃解除姿勢とに切り換えることができる。
【００３０】
請求項３の発明においては、スコロトロンタイプの帯電器を対象とする場合でも、放電ワイヤの清掃を円滑かつ確実に行うことができる。
【００３１】
請求項４の発明においては、スコロトロンタイプの帯電器を対象とする場合に、放電ワイヤだけでなく、グリッドワイヤの清掃も円滑かつ確実に行うことができる。
【図面の簡単な説明】
【図１】本発明の一実施形態に係る帯電器のワイヤー清掃装置を装備した画像形成装置の側面断面図である。
【図２】その画像形成装置の外観斜視図である。
【図３】その画像形成装置に設けられる帯電器のワイヤ清掃装置の側面断面図である。
【図４】そのワイヤ清掃装置の正面図である。
【図５】そのワイヤ清掃装置の要部を示す分解斜視図である。
【図６】そのワイヤ清掃装置の動作説明図である。
【符号の説明】
１４…帯電器、２１…シールドケース、２２…放電ワイヤ、２３…グリッドワイヤ、２４…ワイヤ清掃装置、２８…スライダ、３１…清掃部材保持具、３２…清掃部材、３６…送り手段、３７…回転駆動機構、３８…螺旋軸、３８ａ…非螺旋部、３９…螺旋筒（雌ねじ部材）、４２…コイルばね（ばね部材）
【図１】
0003549731.tif 000002
【図２】
0003549731.tif 000003
【図３】
0003549731.tif 000004
【図４】
0003549731.tif 000005
【図５】
0003549731.tif 000006
【図６】
0003549731.tif 000007